(57)【特許請求の範囲】
【請求項１】
底部と、該底部から立設した複数の支柱部とを備えた架構部と、該架構部の内部において上記支柱部間に掛け渡して配置する複数枚の棚板とを備えた書架における、上記棚板の両端を上記支柱部に固定するための左右一対の固定用金具であって、
上記架構部に対面して書物を出し入れする方向を前後方向とし、さらに、書物を入れる方向を後方、書物を出す方向を前方とし、上記前後方向に直交する水平方向を幅方向、上記前後方向に直交する鉛直方向を上下方向とした場合、
上記固定用金具は、上記上下方向及び上記前後方向に沿った面に配される板状本体部と、
上記支柱部に設けられた係合穴に係合可能なように上記板状本体部に設けられた１又は複数のフック部と、
上記板状本体部の下端部に設けられ、載置される上記棚板に係合して該棚板を支持するための棚板係合部とを有しており、
該棚板係合部は、これに係合させた上記棚板の上面部が、前方に行くほど上昇すると共に傾斜角度が３°〜７°の傾斜面となるよう構成されており、
上記棚板係合部は、上記板状本体部の下端部から略直角に曲げられ上記棚板の下方に配される下面部を有し、該下面部は、前方に行くほど上昇するよう傾斜して配置されており、
上記棚板係合部は、上記下面部の幅方向先端から上方に略直角に曲げられ、上記板状本体部と平行に配置された１又は複数の起立面部を有しており、
上記棚板係合部における最も前方側に位置する上記起立面部の先端には、当該起立面部と面一な状態で前方に突出した前方突出部が設けられ、該前方突出部が、断面略コ字状に成形された上記棚板の前方端部内部に挿入可能であることを特徴とする書架用棚板の固定用金具。
【請求項２】
請求項１に記載の書架用棚板の固定用金具において、上記棚板係合部における上記起立面部及び上記前方突出部の上端位置は、上記下面部と略平行に配され、前方に行くほど上昇する傾斜面となるよう構成されており、上記前方突出部を上記棚板の前方端部内部に挿入した状態で、上記起立面部及び上記前方突出部の上端によって上記棚板の裏面を支持するよう構成されていることを特徴とする書架用棚板の固定用金具。
【発明の詳細な説明】
【技術分野】
【０００１】
本発明は、書物を載置する書架用棚板を固定するための金具に関し、特に、地震発生時の振動によって書物が落下することを抑制可能な構造を実現しうるものに関する。
【背景技術】
【０００２】
たとえば、図書館、学校の図書室などにおいては、書物を取り出し可能に保管する書架が多数使用されている。書架は、底部と、底部から立設した複数の支柱部とからなる架構部と、該架構部の内部において上記支柱部間に掛け渡して配置する複数枚の棚板とを備えてなる。架構部の構造の種類は様々有り、支柱部４本によって１枚の棚板を支える構造や支柱部２本によって棚板を支える構造等がある。
【０００３】
いずれの構造の架構部においても、架構部の内部に上記棚板を保持するために、棚板の両端を、固定用金具を介して支柱部に固定する構造がとられることが多い。書架用棚板の固定用金具は左右一対となっており、板状本体部と、支柱部に設けられた係合穴に係合可能なフック部と、棚板に係合する棚板係合部とを有している。
そして、棚板は、従来より、書物を受ける上面が水平となるように配置されている。
【０００４】
ところで、近年においては、地震発生時における公共場における安全対策の向上が模索されており、図書館等においては、書架に載置した書物の落下による事故を防止する方法が検討されている。そして、地震時の書物の落下による事故を防止すべく、書架に地震対策用の装置を設置することが試みられてきた。
従来の書架に対する地震対策装置としては、たとえば下記の特許文献等に記載のものがある。
【先行技術文献】
【特許文献】
【０００５】
【特許文献１】特開２０００−２１０１４８号公報
【特許文献２】特開平１１−１９６９６２号公報
【発明の概要】
【発明が解決しようとする課題】
【０００６】
これらの特許文献に記載の装置は、地震発生時に書物の前方等にガイド部材を配置するという非常に大がかりな装置である。そのため、その機能はともかく、非常に高価なものとなる。したがって、非常に多くの書架を有する図書館等の施設においては、地震対策費用が高額となり、容易に対策を実施できないことが問題となっている。
本発明は、かかる問題点に鑑みてなされたもので、既存の書架を流用し、既存の固定用金具に代えて用いるだけで、非常に容易に地震対策ができる安価な書架用棚板の固定用金具を提供しようとするものである。
【課題を解決するための手段】
【０００７】
本発明は、底部と、該底部から立設した複数の支柱部とを備えた架構部と、該架構部の内部において上記支柱部間に掛け渡して配置する複数枚の棚板とを備えた書架における、上記棚板の両端を上記支柱部に固定するための左右一対の固定用金具であって、
上記架構部に対面して書物を出し入れする方向を前後方向とし、さらに、書物を入れる方向を後方、書物を出す方向を前方とし、上記前後方向に直交する水平方向を幅方向、上記前後方向に直交する鉛直方向を上下方向とした場合、
上記固定用金具は、上記上下方向及び上記前後方向に沿った面に配される板状本体部と、
上記支柱部に設けられた係合穴に係合可能なように上記板状本体部に設けられた１又は複数のフック部と、
上記板状本体部の下端部に設けられ、載置される上記棚板に係合して該棚板を支持するための棚板係合部とを有しており、
該棚板係合部は、これに係合させた上記棚板の上面部が、前方に行くほど上昇すると共に傾斜角度が３°〜７°の傾斜面となるよう構成されており、
上記棚板係合部は、上記板状本体部の下端部から略直角に曲げられ上記棚板の下方に配される下面部を有し、該下面部は、前方に行くほど上昇するよう傾斜して配置されており、
上記棚板係合部は、上記下面部の幅方向先端から上方に略直角に曲げられ、上記板状本体部と平行に配置された１又は複数の起立面部を有しており、
上記棚板係合部における最も前方側に位置する上記起立面部の先端には、当該起立面部と面一な状態で前方に突出した前方突出部が設けられ、該前方突出部が、断面略コ字状に成形された上記棚板の前方端部内部に挿入可能であることを特徴とする書架用棚板の固定用金具にある（請求項１）。
【発明の効果】
【０００８】
上記書架用棚板の固定用金具は、上記板状本体部とフック部とを有していると共に、上記特殊な棚板係合部を有している。
すなわち、上記棚板係合部は、係合させた棚板の上面部が水平状となるのではなく、係合させた棚板の上面部が、前方に行くほど上昇する傾斜面となるよう構成されている。
【０００９】
このような棚板の配置を実現することにより、棚板上に載置される書物は、棚板の上面部に沿って正面側が高くなる方向に傾斜した状態となる。これによって、地震が発生した場合には、棚板上の書物に対しては書架の正面から奥の方向へ移動する方向に力が付与されるので、書架の正面から書物が落下することが抑制される。
【００１０】
これに対し、従来の固定用金具を用いている場合には、地震が発生した際に、水平面となっている棚板上の書物は、容易に書架の正面から落下するおそれがある。
このように、本発明の固体用金具を用いた場合には、従来に比べて、格段に書物の落下を抑制することができる。
【００１１】
また、本発明によれば、書架の本体部分である上記架構部と上記棚板とについては既存の物をそのまま流用し、本発明の固定用金具のみを従来の固定用金具と入れ替えるだけで上記の優れた効果が得られる。それ故、非常に容易かつ安価に地震対策ができ、多数の図書館その他の公共施設等での早急な対応が可能となる。
【図面の簡単な説明】
【００１２】
【図１】実施例１における、書架の構成を示す説明図。
【図２】実施例１における、固定用金具を幅方向から見た説明図。
【図３】実施例１における、図２のＡ−Ａ線矢視断面図。
【図４】実施例１における、固定用金具を上方から見た説明図。
【図５】実施例１における、棚板を示す斜視図。
【図６】実施例１における、図５のＢ−Ｂ線矢視断面図。
【図７】実施例１における、固定用金具に棚板を係合させた状態を示す説明図。
【図８】実施例２における、固定用金具を幅方向から見た説明図。
【図９】実施例２における、固定用金具を上方から見た説明図。
【発明を実施するための形態】
【００１３】
上記書架用棚板の固定用金具において、上記棚板係合部は、上記板状本体部の下端部から略直角に曲げられ上記棚板の下方に配される下面部を有し、該下面部は、前方に行くほど上昇するよう傾斜して配置されている構造を有する。これにより、下面部上に棚板の幅方向端部を載置するだけで、容易に棚板の傾斜状態を実現することができる。
【００１４】
また、上記棚板係合部は、上記下面部の幅方向先端から上方に略直角に曲げられた１又は複数の起立面部を有している。この場合には、上記起立面部を上記棚板の幅方向端部の内側に配置することによって、より安定的に棚板を保持することができる。
【００１５】
上記書架用棚板の固定用金具において、上記棚板係合部における最も前方側に位置する上記起立面部の先端には、断面略コ字状に成形された上記棚板の前方端部内部に挿入可能なように前方に突出した前方突出部が設けられている。
書架用の棚板は、通常、鋼板等の金属板を曲げ加工して作製されており、その前方端部及び後方端部は、通常、剛性向上及び安全性を考慮して、内側に略コ字状に曲げ加工されている。このような棚板を保持する場合に、上記前方突出部を有する上記固定用金型を用いることにより、保持される棚板は、断面略コ字状に成形された上記棚板の前方端部内部に上記前方突出部が挿入された状態となる。そのため、従来の単に載置しただけの構造に比べて非常に安定した固定状態となる。これにより、地震が発生した場合には、棚板がばたばたと上下して書物の落下を棚板が助長するように動くことが防止される。それ故、上記前方突起部を設けた場合には、地震発生時の書物の落下防止効果をさらに高めることができる。
【００１６】
また、上記固定用金具は、鋼板等の金属板を曲げ加工して作製することができる。そのため、製造容易であると共に安価に大量生産可能である。このため、地震対策が急がれる現状において多大な貢献が期待される。
【００１７】
また、上記固定用金具は、上記棚板係合部における下面部が傾斜しているだけでなく、上記棚板係合部における上記起立面部及び上記前方突出部の上端位置が、上記下面部と略平行に配され、前方に行くほど上昇する傾斜面となるよう構成されており、上記前方突出部を上記棚板の前方端部内部に挿入した状態で、上記起立面部及び上記前方突出部の上端によって上記棚板の裏面を支持するよう構成されていることが好ましい（請求項２）。この場合には、上記棚板の裏面に対向する上記起立面部の上端位置が棚板の裏面に略平行となるため、棚板の裏面を常時支持する構成、あるいは、棚板が変形しようとする際に安定して支持する構成を容易に実現することができる。
【００１８】
また、上記棚板係合部における上記下面部及び上記起立面部の上端位置の傾斜角度は、３°〜７°の範囲が好ましく、最も好ましくは５°±１°の範囲がよい。傾斜角度が小さすぎると上述した書物落下防止効果が低下し、一方、傾斜角度が大きすぎると、通常使用時における書物の陳列状態が斜めになりすぎ利便性が低下するおそれがある。
【実施例】
【００１９】
（実施例１）
本発明の実施例に係る書架用棚板の固定用金具につき、図１〜図７を用いて説明する。
本例の固定用金具１は、図１に示すごとく、底部８１と、底部８１から立設した複数の支柱部８２とを備えた架構部８０と、架構部８０の内部において支柱部８２間に掛け渡して配置する複数枚の棚板７とを備えた書架８における、棚板７の両端を支柱部８２に固定するための左右一対の固定用金具である。
【００２０】
固定用金具１の構成の説明を分かりやすくするために、まず、架構部８０に対面して書物９（図７）を出し入れする方向を前後方向とし、さらに、書物９を入れる方向を後方（図１中における矢印ａ２方向）、書物９を出す方向を前方（図１中における矢印ａ１方向）とし、上記前後方向に直交する水平方向を幅方向（図１中における矢印ｂ方向）、上記前後方向に直交する鉛直方向を上下方向（図１中における矢印ｃ方向）とする。
【００２１】
このような方向に基づいて説明すると、図２〜図４に示すごとく、固定用金具１は、上下方向ｃ及び前後方向ａ１、ａ２に沿った面に配される板状本体部１０を有する。さらに、固定用金具１は、支柱部８２に設けられた係合穴８２０に係合可能なように板状本体部１０の外周部に設けられた複数のフック部１２と、板状本体部１０の下端部に設けられ、棚板７に係合して棚板７を支持するための棚板係合部１３とを有している。
【００２２】
棚板係合部１３は、板状本体部１０の下端部から略直角に曲げられ棚板７の下方に配される下面部１３０と、下面部１３０の先端から上方に略直角に曲げられた２つの起立面部１３１、１３２とを有する。
下面部１３０は、前方に行くほど上昇するよう傾斜して配置されており、棚板係合部１３に係合させた棚板７の上面部７５が、前方に行くほど上昇する傾斜面となるよう構成されている。
【００２３】
以下、さらに詳説する。
本例において示す書架８は、図１に示すごとく、本棚を２組背面で組み合わせたような表裏両側面から書物を出し入れできるタイプの書架であり、棚板７も表裏両側に２組配設できるように構成されている。書架８の架構部８０は、２組の棚板７の背面部間に幅方向に一列に配列された複数の支柱部８２を有し、隣接する２本の支柱部８２によって１枚の棚板７を支持することが可能である。各支柱部８２表裏両側には、棚板７の固定用金具１を片持ち梁状に保持するために固定用金具１のフック部１２を係合させる係合穴８２０を複数設けてある。
【００２４】
棚板７は、図５、図６に示すごとく、鋼板を曲げ加工した棚本体部７０と、その裏面に接合した補強リブ部７９とからなる。棚本体部７０は、後端上部７２を上方に立設させた状態で曲げ加工し、前方端部７１は断面略コ字状となるように内側に向けて曲げ加工し、後方端部７２も同様に内側に曲げ加工してある。さらに、幅方向両端の側端部７４は、上記前方端部７１及び後方端部７３と同じ厚み寸法分だけ下方に折り返してある。補強リブ部７９は、鋼板を略コ字状に曲げ加工し、棚本体部７０に対して溶接されている。なお、上記の後端上部７２を設けていない全面が平らなタイプの棚板を用いることもできる。
【００２５】
支柱部８２に係合させる固定用金具１は、鋼板を曲げ加工して構成してあり、前述した板状本体部１０と、フック部１２と、棚板係合部１３とを設けてある。図３に示すごとく、棚板係合部１３は、板状本体部１０と下面部１３０と起立面部１３１（１３２）とによって、断面略コ字状を呈し、その内部に棚板７の側端部７４を挿入できるようにしてある。２つの起立面部１３１、１３２は、その間に上述した棚板７の補強リブ部７９を配置できる間隔を空けて形成してある。
【００２６】
また、図２に示すごとく、棚板係合部１３の下面部１３０から立ち上げられた２つの起立面部１３１、１３２のうち、最も前方側に位置する起立面部１３１の先端には、前方に突出した前方突出部１３５が設けられている。この前方突出部１３５は、前述した棚板７の断面略コ字状に成形された前方端部７１内部に挿入可能な形状に設けられている。
また、固定用金具１の棚板係合部１３における起立面部１３１の上端位置は、下面部１３０と略平行に配され、前方に行くほど上昇する傾斜面となるよう構成されている。水平方向に対する傾斜角度αは６°に設定した。
【００２７】
このような構成の固定用金具１のフック部１２を支柱部８２の係合穴に係合させ、棚板係合部１３に棚板７の側端部７４を係合させることにより、図７に示すごとく、棚板７を、その上面部７５が前方に行くほど上昇する傾斜面となる状態で固定することができる。なお、この状態において、固定用金具１の前方突出部１３５は、棚板７の前方端部７１内部に挿入されている。
【００２８】
斜めの棚板７に載置した書物９は、同図に示すごとく、正面側が高くなるよう傾斜した状態となる。これによって、地震が発生した場合には、棚板７上の書物９に対しては書架８の正面から奥の方向（ａ２）へ移動する方向に力が付与されるので、書架８の正面から書物９が落下することが抑制される。
【００２９】
また、固定用金型１に保持された棚板７は、断面略コ字状に成形された前方端部７１内部に前方突出部１３５が挿入された状態となっている。そのため、従来の単に載置しただけの構造に比べて非常に安定した固定状態となる。これにより、地震が発生した場合には、棚板７がばたばたと上下して書物９が落下することを棚板７が助長するように動くことが防止される。それ故、地震発生時の書物９の落下防止効果をさらに高めることができる。
【００３０】
また、固定用金具１の棚板係合部１３における下面部１３０が傾斜しているだけでなく、起立面部１３１、１３２の上端位置が、下面部１３０と略平行に配され、前方に行くほど上昇する傾斜面となっている。これにより、図７に示すごとく、棚板７の裏面に対向する起立面部１３１、１３２の上端位置が棚板の裏面に略平行となるため、棚板７の裏面を常時支持する構成、あるいは、棚板が変形しようとする際に安定して支持する構成を容易に実現することができる。
【００３１】
また、上記固定用金具１は、従来の書架の本体部分である架構部８０と棚板７とについては既存の物をそのまま流用し、従来の固定用金具と入れ替えて用いるだけで上記の優れた効果が得られる。それ故、非常に容易かつ安価に地震対策ができ、多数の図書館その他の公共施設等での早急な対応が可能となる。
【００３２】
（実施例２）
本例の固定用金具１０２は、図８、図９に示すごとく、実施例１とフック部及び棚板係合部の形状を変更した例である。
本例の固定用金具１０２は、実施例１の片持ち梁状に支柱部に支持される構成と異なり、前後２本の支柱部（図示略）の側面に設けられた係合穴にそれぞれ係合する２箇所のフック部１２５を板状本体部１０の上端前後に有するものである。また、固定用金具１０２の棚板係合部１３の起立面部１３３は、補強リブ部のない棚板（図示略）に対応するように、下面部１３０のほぼ全長にわたる１枚の部位として設けた。なお、起立面部１３３の前方端には、前方突出部１３５を設けた。
【００３３】
この固定用金具１０２は、前後２本の支柱部に係合させるタイプの従来の固定用金具と入れ替えて用いることができる。
また、起立面部１３３は、実施例１のような補強リブ部を配置可能なように２箇所に分割する構成に変えることもできる。
本例の固定用金具１０２によっても、実施例１と同様の作用効果が得られる。
【符号の説明】
【００３４】
１  書架用棚板の固定用金具
１０  板状本体部
１２  フック部
１３  棚板係合部
１３０  下面部
１３１、１３２  起立面部
１３５  前方突出部
７  棚板
８  書架
８０  架構部
８１  底部
８２  支柱部
８２０  係合穴
【図１】
0005829238.tif 000002
【図２】
0005829238.tif 000003
【図３】
0005829238.tif 000004
【図４】
0005829238.tif 000005
【図５】
0005829238.tif 000006
【図６】
0005829238.tif 000007
【図７】
0005829238.tif 000008
【図８】
0005829238.tif 000009
【図９】
0005829238.tif 000010